(57)【要約】【課題】接続不良や短絡などの接続不具合をより回避する情報表示装置を提供する。【解決手段】情報表示装置は、ディスプレイ部と駆動回路部とを備える。ディスプレイ部は、複数のディスプレイ側電極部と、ディスプレイ側電極部を配置したディスプレイ側接続基板とを有し、駆動回路部は、ディスプレイ側電極部に接続される複数の駆動側電極部と、駆動側電極部を配置した駆動回路側接続基板と、制御信号をディスプレイ側電極部に出力するコントローラとを有する。ディスプレイ側電極部は、所定ピッチで周期的に配置される。駆動側電極部は、ｎ個のグループに分類され、所定ピッチの略１／ｎのピッチ（１／ｎ）で周期的に配置される。一のグループの駆動側電極部は、他のグループの駆動側電極部と隣接するように配置される。ディスプレイ側接続基板と駆動回路側接続基板とのいずれか一方は磁石を含んで構成され、他方は磁性体又は磁石を含んで構成される。【選択図】図１
2013088646.tif 000002
【特許請求の範囲】
【請求項１】
情報を表示するディスプレイ部と、前記ディスプレイ部を駆動する駆動回路部とを備え、前記ディスプレイ部と前記駆動回路部とが着脱可能に構成された情報表示装置であって、
前記ディスプレイ部は、
前記ディスプレイ部の表示領域に配置された画素電極に連結された複数のディスプレイ側電極部と、
前記複数のディスプレイ側電極部を配置したディスプレイ側接続基板とを有し、
前記駆動回路部は、
複数の前記ディスプレイ側電極部の各々と電気的に接続される複数の駆動側電極部と、
前記複数の駆動側電極部を配置した駆動回路側接続基板と、
前記ディスプレイ部の前記表示領域に所定の情報を表示させる制御信号を前記ディスプレイ側電極部に出力するコントローラとを有し、
前記複数のディスプレイ側電極部は、所定方向に沿って所定ピッチで周期的に配置されており、
前記複数の駆動側電極部は、ｎ個のグループに分類されており、
前記複数の駆動側電極部は、所定方向に沿って前記所定ピッチの略１／ｎのピッチで周期的に配置されており、
一のグループに属する駆動側電極部は、他のグループに属する駆動側電極部と隣接するように周期的に配置されており、
前記ディスプレイ側接続基板と前記駆動回路側接続基板とのいずれか一方は、磁石を含んで構成され、他方は、磁性体または磁石を含んで構成される
ことを特徴とする情報表示装置。
【発明の詳細な説明】
【技術分野】
【０００１】
本発明は、情報を表示するディスプレイ部と、ディスプレイ部を駆動する駆動回路部とが着脱可能に構成された情報表示装置に関する。
【背景技術】
【０００２】
従来、液晶表示装置（ＬＣＤ）に変わる情報表示装置として、帯電粒子気体中移動方式（電子粉流体（登録商標）方式）、帯電粒子液体中移動方式（電気泳動方式）、エレクトロクロミック方式、サーマル方式、２色粒子回転方式などの技術を用いた情報表示装置が提案されている。これらの情報表示装置のなかでも帯電粒子気体中移動方式や帯電粒子液体中移動方式や２色粒子回転方式を用いた情報表示装置では、給電を断ってもディスプレイ部の表示領域に表示させた情報が保持される表示メモリー性を有しているため、ディスプレイ部に情報を一旦表示させた後、ディスプレイ部のみを電源や駆動装置などの周辺構造から切り離して単独で取り扱うことができる。
【０００３】
特許文献１には、ディスプレイ部と駆動回路部とを着脱可能にし、ディスプレイ部を駆動するための半導体部品であるドライバＩＣをディスプレイ部ではなく、駆動回路部に設けた情報表示装置が開示されている。特許文献１に記載された情報表示装置では、ドライバＩＣを駆動回路部に設けているため、ディスプレイ部に劣化、不良などの不具合が起きても、ディスプレイ部とともに高価なドライバＩＣを交換する必要がなく、低コスト化が実現できる。
【先行技術文献】
【特許文献】
【０００４】
【特許文献１】国際公開番号ＷＯ／２００８／１５６１７５  図１２など
【発明の概要】
【発明が解決しようとする課題】
【０００５】
ところが、上述した情報表示装置では、次のような問題点がある。すなわち、ディスプレイ部の表示領域を構成する画素電極から引き出された引き出し電極をそれぞれ駆動回路部側の接続用電極に接続するため、ディスプレイ部側の接続用電極と駆動回路部側の接続用電極との接続箇所が増大する。これらの接続箇所の全てにおいて、電気的に確実に接続することが求められる。例えば、Ａ４サイズ（２１０ｍｍ×２９７ｍｍ）の表示領域にＸＧＡモノクロ規格の解像度（１０２４×７６８＝７８６４３２ピクセル）で表示できる情報表示装置では、引き出し電極を短辺側に纏めて配置する場合、接続する箇所は、１０２４＋７６８＝１７９２箇所になり、電極中心の間隔は、２１０ｍｍ／（１０２４＋７６８）本＝１１７μｍになる。
【０００６】
従来の情報表示装置において、基板に配置された電極中心の間隔は、上述のように微細である上に、接続するピン（接続用電極）の数が多くなり、電極同士の位置合わせが極めて困難になり、接続不良や短絡などの接続不具合を回避する施策が必要になる。
【０００７】
本発明は上述した状況を鑑みて成されたものであり、接続不良や短絡などの接続不具合をより回避することが可能な情報表示装置を提供することを目的とする。
【課題を解決するための手段】
【０００８】
第１の特徴に係る情報表示装置（情報表示装置１）は、情報を表示するディスプレイ部（ディスプレイ部１００）と、前記ディスプレイ部を駆動する駆動回路部（駆動回路部２００）とを備える。前記ディスプレイ部と前記駆動回路部とが着脱可能に構成される。前記ディスプレイ部は、少なくとも一部が前記ディスプレイ部の表示領域（表示領域１１０）に配置された画素電極に連結された複数のディスプレイ側電極部（ディスプレイ側電極部１３０）と、前記複数のディスプレイ側電極部を配置したディスプレイ側接続基板（ディスプレイ側接続基板１４１）とを有する。前記駆動回路部は、複数の前記ディスプレイ側電極部の各々と電気的に接続される複数の駆動側電極部（駆動側電極部２３０）と、前記複数の駆動側電極部を配置した駆動回路側接続基板（駆動回路側接続基板２８１）と、前記ディスプレイ部の前記表示領域に所定の情報を表示させる制御信号を前記ディスプレイ側電極部に出力するコントローラ（コントローラ２４０）とを有する。前記複数のディスプレイ側電極部は、所定方向に沿って所定ピッチで周期的に配置される。前記複数の駆動側電極部は、ｎ個のグループに分類される。前記複数の駆動側電極部は、所定方向に沿って前記ディスプレイ側電極部における所定ピッチの略１／ｎのピッチで周期的に配置される。一のグループに属する駆動側電極部は、他のグループに属する駆動側電極部と隣接するように周期的に配置される。前記ディスプレイ側接続基板と前記駆動回路側接続基板とのいずれか一方は、磁石を含んで構成され、他方は、磁性体または磁石を含んで構成される。
【０００９】
かかる情報表示装置では、複数の駆動側電極部は、ｎ個のグループに分類されるとともに、所定方向に沿って前記所定ピッチの略１／ｎのピッチで周期的に配置されている。一のグループに属する駆動側電極部は、他のグループに属する駆動側電極部と隣接するように周期的に配置されている。つまり、駆動側電極部のピッチは、ディスプレイ側電極部のピッチよりも狭く、かつ、ディスプレイ側電極部の１ピッチあたりに、駆動側電極部がｎ個配置される。
【００１０】
このような情報表示装置によれば、ディスプレイ部を駆動回路部２００に装着する際に、駆動側電極部の位置とディスプレイ側電極部の位置とがずれても、ｎ個のグループのいずれかの駆動側電極部に接触するので、各グループの駆動側電極部から順番に制御信号を出力すれば、いずれかのグループの駆動側電極部から出力された制御信号をディスプレイ側電極部に確実に入力させることが可能になる。すなわち、情報表示装置によれば、ディスプレイ部と駆動回路部とにおいて、接続不良や短絡などの接続不具合を回避することができる。
【００１１】
また、情報表示装置では、ディスプレイ側接続基板と駆動回路側接続基板とのいずれか一方は、磁石を含んで構成され、他方は、磁性体または磁石を含んで構成される。よって、ディスプレイ側接続基板と駆動回路側接続基板とを磁気吸着させて、ディスプレイ側電極部と駆動側電極部とを容易に電気的に接続できるとともに、ディスプレイ側電極部と駆動側電極部との接触圧の均一化を図ることが可能になる。
【発明の効果】
【００１２】
本発明によれば、接続不良や短絡などの接続不具合をより回避する情報表示装置を提供できる。
【図面の簡単な説明】
【００１３】
【図１】図１は、本発明の第１実施形態に係る情報表示装置の構成を説明する構成図である。
【図２】図２は、本発明の第１実施形態に係る接続部の構成を示す斜視図である。
【図３】図３（ａ）は、図２におけるＡ−Ａ線の断面図である。図３（ｂ）は、図２におけるＢ−Ｂ線の断面図である。
【図４】図４は、本発明の第１実施形態に係る情報表示装置のディスプレイ側接続基板のディスプレイ側電極部および駆動回路側接続基板の駆動側電極部を拡大した拡大図である。
【図５】図５（ａ）〜（ｃ）は、本発明の第１実施形態に係る情報表示装置のディスプレイ側接続基板のディスプレイ側電極部と駆動回路側接続基板の駆動側電極部との接続態様を説明する模式図である。
【図６】図６は、本発明の第１実施形態に係る情報表示装置を制御する情報表示装置の制御方法を説明する図である。
【図７】図７は、本発明の第２実施形態に係る情報表示装置のディスプレイ側接続基板のディスプレイ側電極部および駆動回路側接続基板の駆動側電極部を拡大した拡大図である。
【図８】図８は、本発明の第２実施形態に係る情報表示装置を制御する情報表示装置の制御方法を説明するフローチャートである。
【図９】図９は、本発明の第３実施形態に係る情報表示装置の構成を説明する構成図である。
【図１０】図１０は、本発明の実施形態の変形例に係る情報表示装置のディスプレイ側接続基板のディスプレイ側電極部および駆動回路側接続基板の駆動側電極部を拡大した拡大図である。
【図１１】図１１は、本発明の他の実施形態に係る接続部の構成を示す斜視図である。
【図１２】図１２は、本発明の他の実施形態に係る接続部の構成を示す斜視図である。
【発明を実施するための形態】
【００１４】
本発明に係る情報表示装置の実施形態について、図面を参照しながら説明する。具体的には、（１）第１実施形態、（２）第２実施形態、（３）第３実施形態、（４）変形例、（５）その他の実施形態について説明する。
【００１５】
なお、以下の図面の記載において、同一部分には、同一の符号を付している。ただし、図面は模式的なのものであり、各寸法の比率などは現実のものとは異なることを留意すべきである。従って、具体的な寸法などは以下の説明を参酌して判断すべきものである。また、図面相互間においても互いの寸法の関係や比率が異なる部分が含まれる。
【００１６】
（１）第１実施形態
ここでは、（１−１）情報表示装置の構成、（１−２）接続部の構成、（１−３）駆動側電極部の構成、（１−４）ディスプレイ側電極部と駆動側電極部との接続態様の説明、（１−５）情報表示装置の制御方法、（１−６）作用・効果について説明する。
【００１７】
（１−１）情報表示装置の構成
図１は、本発明の第１実施形態に係る情報表示装置１の構成を説明する構成図である。図１に示すように情報表示装置１は、所定の情報を表示するディスプレイ部１００と、ディスプレイ部１００を駆動する駆動回路部２００とを備え、ディスプレイ部１００と駆動回路部２００とが着脱可能に構成される。
【００１８】
ディスプレイ部１００は、所定の情報が表示される表示領域１１０と、表示領域１１０に配置された画素電極（不図示）から引き出された配線１２０と、配線の端部に連結されたディスプレイ側電極部１３０と、ディスプレイ側電極部１３０を有するディスプレイ側接続部１４０とを有する。
【００１９】
図１に示す情報表示装置１では、ディスプレイ部１００は、少なくとも一方が透明な２枚の電極付き基板間の気体中空間（真空中を含む）に、光学的反射率を有する帯電性粒子を含む粒子群として構成した表示媒体を少なくとも１種類以上配置、より好ましくは表示媒体を少なくとも１種類以上封入し、表示媒体に電界を付与することによって、表示媒体を移動させて画像などの情報を表示する気体中粒子移動方式ディスプレイパネルである。後述するが、表示媒体および駆動方式は上記に限定されない。
【００２０】
ディスプレイ部１００の表示領域１１０には、画素電極を形成する互いに直交する行方向のライン電極（不図示）と、列方向のライン電極（不図示）とが設けられており、表示領域１１０の端部まで引き出されて配線１２０に接続されている。
【００２１】
配線１２０は、表示領域１１０に配置された画素電極（不図示）に連結されており、ディスプレイ側電極部１３０は、配線１２０の端部に連結されている。すなわち、ディスプレイ側電極部１３０は、表示領域１１０に配置された画素電極（不図示）に連結されている。ディスプレイ側電極部１３０は、所定の領域に集められて配置されている。ディスプレイ側接続部１４０は、ディスプレイ側電極部１３０を備えており、駆動回路部２００との接続部分を構成する。なお、ディスプレイ側接続部１４０の詳細な構成については、後述する。
【００２２】
駆動回路部２００は、ディスプレイ側電極部１３０の各々と電気的に接続される複数の駆動側電極部２３０と、ディスプレイ部１００の表示領域１１０に所定の情報を表示させる制御信号をディスプレイ側電極部１３０に出力するコントローラ２４０と、駆動回路側接続部２８０とを備える。コントローラ２４０は、ＣＰＵ、ＲＯＭ、ＲＡＭ、タイミング信号発生回路などを備える。ＣＰＵは、ＲＯＭに格納された制御プログラムに従って、後述するドライバＩＣ２１０Ａ，２１０Ｂなどを制御する。
【００２３】
図１に示す駆動回路部２００は、ディスプレイ側電極部１３０にディスプレイ部１００を駆動する制御信号を出力するドライバＩＣ２１０Ａ，２１０Ｂを有する。ドライバＩＣ２１０Ａ，２１０Ｂは、記憶部２５０から読み出したデータに基づいて、ディスプレイ側電極部１３０に所定の電圧を印加するか、または、ハイインピーダンスの状態にする。図１に示す駆動回路部２００では、ディスプレイ側電極部１３０を制御する制御信号は、コントローラ２４０から直接送信されず、ドライバＩＣ２１０Ａ，２１０Ｂから送信される。ディスプレイ部１００では、この制御信号に基づいた情報が表示される。
【００２４】
また、駆動回路部２００は、ディスプレイ部１００に表示する所定の情報などのデータが格納された記憶部２５０と、コントローラ２４０の電源回路２６０とを有する。記憶部２５０は、半導体メモリー、ハードディスク等により構成されている。記憶部２５０は、書き換え可能なＵＳＢメモリー等の記録媒体であってもよい。電源回路２６０は、情報の表示或いは消去に応じた所定の電圧を発生させる。
【００２５】
図１に示す実施形態では、駆動側電極部２３０は、複数のグループに分けられている。複数の駆動側電極部２３０には、第１グループに属する第１駆動側電極部２３１と、第２グループに属する第２駆動側電極部２３２とが含まれる。図１に示す実施形態では、異なるグループに属する駆動側電極部２３０が基板面に順に配置されている。すなわち、第１駆動側電極部２３１と第２駆動側電極部２３２とが交互に配置されている。配線２２０は、駆動側電極部２３０に含まれる。
【００２６】
ディスプレイ側電極部１３０及び駆動側電極部２３０の材質としては、酸化インジウム錫（ＩＴＯ）、酸化インジウム亜鉛（ＩＺＯ）等の導電性金属酸化物を用いてもよい。或いは、ディスプレイ側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。抜き挿し方式の接続部ＣＮを構成する場合には、曲げや擦過に対する強度に優れている材料を電極部材料として用いることが好ましい。このような材料は、例えば、上述した金属、貴金属又は合金である。このうち、安価な良導電性材料である銅を好ましく用いることができる。
【００２７】
図１に示す実施形態では、第１駆動側電極部２３１は、ドライバＩＣ２１０Ａに接続される。ドライバＩＣ２１０Ａは、第１グループに属する第１駆動側電極部２３１にディスプレイ側電極部１３０を駆動する制御信号を出力する。第２駆動側電極部２３２は、ドライバＩＣ２１０Ｂに接続される。ドライバＩＣ２１０Ｂは、第２グループに属する第２駆動側電極部２３２にディスプレイ側電極部１３０を駆動する制御信号を出力する。
【００２８】
コントローラ２４０は、ディスプレイ側電極部１３０と駆動側電極部２３０とが電気的に接続された状態で、異なるグループに属する第１駆動側電極部２３１と第２駆動側電極部２３２に対して、異なるタイミングで制御信号を出力する。
【００２９】
なお、第１実施形態では、複数の駆動側電極部２３０が２つのグループに分類されるケースについて例示しているに過ぎない。複数の駆動側電極部２３０は、ｎ個のグループに分類されてもよい（但し、ｎは整数）。
【００３０】
駆動回路側接続部２８０は、ディスプレイ側接続部１４０と磁気吸着力によって接触する。駆動回路側接続部２８０とディスプレイ側接続部１４０とが、接触又は離間することによって、ディスプレイ部１００と駆動回路部２００とが着脱される。駆動回路側接続部２８０は、複数の駆動側電極部２３０を有する。駆動回路側接続２８０は、ディスプレイ側接続１４０と接触することによって、駆動側電極部２３０とディスプレイ側電極部１３０とを電気的に接続する。駆動回路側接続２８０は、ディスプレイ側接続部１４０と離間することによって、駆動回路部２００の複数の駆動側電極部２３０と複数のディスプレイ側電極部１３０との電気的接続が解除される。なお、駆動回路側接続部２８０の詳細については後述する。
【００３１】
また、図１に示す情報表示装置１において、ディスプレイ側接続部１４０と、駆動回路側接続部２８０とは、ディスプレイ部１００と駆動回路部２００とを電気的及び機械的に接続する接続部ＣＮを構成する。
【００３２】
（１−２）接続部の構成
図２は、接続部ＣＮの構成を説明する斜視図である。図３（ａ）は、図２におけるＡ−Ａ線の断面図であり、図３（ｂ）は、図２におけるＢ−Ｂ線の断面図である。本実施形態に係る接続部ＣＮは、ディスプレイ側接続部１４０と駆動回路側接続部２８０とによって構成される。
【００３３】
ディスプレイ側接続部１４０は、複数のディスプレイ側電極部１３０と、複数のディスプレイ側電極部１３０を配置したディスプレイ側接続基板１４１とを有する。具体的に、ディスプレイ側接続基板１４１は、表面基板１４１ａと背面基板１４１ｂとを有する。表面基板１４１ａの一方の面には、複数のディスプレイ側電極部１３０が配置され、表面基板１４１ａの他方の面には、背面基板１４１ｂが配置される。
【００３４】
駆動回路側接続部２８０は、複数の駆動側電極部２３０と、複数の駆動側電極部２３０を配置した駆動回路側接続基板２８１とを有する。具体的に、駆動回路側接続基板２８１は、表面基板２８１ａと背面基板２８１ｂとを有する。表面基板２８１ａの一方の面には、複数の駆動側電極部２３０が配置され、表面基板２８１ａの他方の面には、背面基板２８１ｂが配置されている。
【００３５】
ここで、ディスプレイ側接続基板１４１と駆動回路側接続基板２８１とのいずれか一方は、磁石を含んで構成され、他方は、磁性体または磁石を含んで構成される。本実施形態では、ディスプレイ側接続基板１４１が有する背面基板１４１ｂが、磁性体を含んで構成され、駆動回路側接続基板２８１が有する背面基板２８１ｂが、磁石を含んで構成されることとする。
【００３６】
具体的に、本実施形態では、ディスプレイ側接続基板１４１が有する背面基板１４１ｂが、磁性体であり、駆動回路側接続基板２８１が有する背面基板２８１ｂが、磁石こととする。
【００３７】
このように、磁石および磁性体はそれぞれ複数のディスプレイ側電極部１３０および複数の駆動側電極部２３０が形成されている面とは反対の面側に形成され、好ましくは、それぞれ複数のディスプレイ側電極部１３０および複数の駆動側電極部２３０のすべてを覆う領域に形成される。
【００３８】
なお、ディスプレイ側接続基板１４１が、磁石を含んで構成され、駆動回路側接続基板２８１が、磁性体を含んで構成されるようにしてもよい。つまり、ディスプレイ側接続基板１４１が有する背面基板１４１ｂが、磁石であり、駆動回路側接続基板２８１が有する背面基板２８１ｂが、磁性体であるようにしてもよい。更には、ディスプレイ側接続基板１４１が有する背面基板１４１ｂと、駆動回路側接続基板２８１が有する背面基板２８１ｂとが、互いに対極する磁石であるようにしてもよい。
【００３９】
また、ディスプレイ側接続部１４０は、可撓性を有することが好ましいため、背面基板１４１ｂは、磁性体として、鉄などの金属部材を含む部材で構成され、可撓性を有することが好ましい。一方、駆動回路側接続部２８０も、可撓性を有することが好ましいため、背面基板２８１ｂは、磁石をゴム部材に含めたゴム製マグネットシート部材で構成され、駆動回路側接続基板２８１が、可撓性を有することが好ましい。
【００４０】
また、上述の例では、ディスプレイ側接続基板１４１が、表面基板１４１ａと背面基板１４１ｂとの２層構造である場合を例に挙げたが、一層構造としてもよい。この場合、ディスプレイ側接続基板１４１自身が、鉄などの金属部材を含む磁性体部材であって、ディスプレイ側接続基板１４１は可撓性を有することが好ましい。また、ディスプレイ側接続部１４０を可撓性のあるプラスチック基板と、可撓性のある磁性体シート、例えば、鉄シート、ステンレスシート、ニッケルシートなどとを積層した基板とすることも好ましい。
【００４１】
また、上述の例では、駆動回路側接続基板２８１が、表面基板２８１ａと背面基板２８１ｂとの２層構造である場合を例に挙げたが、一層構造としてもよい。この場合、駆動回路側接続基板２８１は、磁石をゴム部材に含めたゴム製マグネットシート部材で構成したり、可撓性のあるプラスチック基板と、可撓性のある上記ゴム製マグネットシート部材との積層基板として構成したりして、可撓性を有するようにすることが好ましい。
【００４２】
磁石部材である基板に、あるいは、磁性体部材である基板に表示側電極部１３０や駆動側電極部２３０を形成する場合、両者の間に絶縁膜を配置して、互いに導通しないようにすることが好ましい。
【００４３】
このような構成によって、ディスプレイ側接続部１４０と駆動回路側接続部２８０とは、磁気吸着によって接触又は離間することができる。なお、ディスプレイ側接続部１４０と駆動回路側接続部２８０とが、接触又は離間することによって、駆動側電極部２３０とディスプレイ側電極部１３０とが電気的に接続又は切離される。
【００４４】
また、駆動回路側接続基板２８１は、ディスプレイ側接続部１４０が載置される載置部２８４を有する。載置部２８４の端部２８５は、載置部２８４からせり上がる段差状に形成されている。本実施形態では、載置部２８４の端部２８５は、ディスプレイ側接続部１４０の挿抜方向（図２の例では、Ｘ方向）に対して直角方向（図２の例では、Ｙ方向）に直線状に延びるように形成されている。
【００４５】
本実施形態では、ディスプレイ側接続部１４０の端部１４５も、直線状に延びるように形成されている。ディスプレイ側接続部１４０が載置部２８４に載置される際、ディスプレイ側接続部１４０の端部１４５が、載置部２８４の端部２８５に突き当てられることで、挿抜方向において、ディスプレイ側電極部１３０の位置と、駆動側電極部２３０の位置とを容易に合わせることができる。
【００４６】
また、図２に示すように、所定方向に配置される複数の駆動側電極部２３０の両端の幅Ｗ１は、所定方向に配置される複数のディスプレイ側電極部１３０の両端の幅Ｗ２よりも狭くなるように配置されていてもよい。なお、かかる所定方向は、図２の例では、駆動回路側接続部２８０の幅方向（図２に示すＹ方向）及びディスプレイ部１００のディスプレイ側接続部１４０の幅方向（図２に示すＹ方向）を示す。
【００４７】
この場合、ディスプレイ側接続部１４０の両端をガイドする構造として溝やリブ、レール、段差などを載置部２８４に形成しておけば、挿抜方向だけでなく、挿抜方向の直角方向（図２の例では、Ｙ方向）においても、ディスプレイ部側電極部１３０の位置と、駆動側電極部２３０の位置とをより容易に合わせることができる。ディスプレイ側接続部１４０の端部１４５が、載置部２８４の端部２８５に突き当てられることで、挿抜方向（図２の例ではＸ方向）のアライメントが行え、ディスプレイ側接続基板１４１の両端をガイドする構造を載置部２８４に形成しておくことで、挿抜方向の直角方向（図２の例では、Ｙ方向）のアライメントが行える。
【００４８】
このような構成によれば、利用者は、駆動回路側接続部２８０に設けられる複数の駆動側電極部２３０を複数のディスプレイ側電極部１３０の両端の範囲内に取り付け易くなるとともに、ディスプレイ部１００の表示領域１１０内に所定の情報を確実に表示させることができる。
【００４９】
（１−３）駆動側電極部の構成
図４は、情報表示装置１のディスプレイ側接続部１４０におけるディスプレイ側電極部１３０および駆動回路部２００における駆動側電極部２３０を拡大した拡大図である。第１駆動側電極部２３１と第２駆動側電極部２３２は、所属するグループが異なることを分かり易くするために符号により区別しているが、同じ構成を有する。ここでは、駆動側電極部２３０について説明する。
【００５０】
各駆動側電極部２３０は、ドライバＩＣ２１０Ａ，２１０Ｂに連結される配線２２０の端部に連結されており、配線２２０の端部に取り付けられた矩形状の電極パッド２３０Ａを有する。なお、ディスプレイ側電極部１３０は、配線１２０の端部に取り付けられた矩形状の電極パッド１３０Ａを有する。
【００５１】
ここで、ディスプレイ側電極部１３０（電極パッド１３０Ａ）のピッチは、“Ｐｄｐ”で表される。ピッチＰｄｐは、互いに隣接するディスプレイ側電極部１３０（電極パッド１３０Ａ）の中心の間隔である。電極パッド１３０Ａの幅は、“Ｗｄｐ”で表される。ディスプレイ側電極部１３０（電極パッド１３０Ａ）間のギャップは、“Ｗｄｇ”で表される。ギャップＷｄｇは、互いに隣接する電極パッド１３０Ａ間に設けられる間隙である。なお、“Ｐｄｐ”は、“Ｐｄｐ”＝“Ｗｄｐ”＋“Ｗｄｇ”の関係で表される。
【００５２】
また、駆動側電極部２３０（電極パッド２３０Ａ）のピッチは、“Ｐｐ”で表される。ピッチＰｐは、互いに隣接する駆動側電極部２３０（電極パッド２３０Ａ）の中心の間隔である。電極パッド２３０Ａの幅は、“Ｗｐ”で表される。駆動側電極部２３０（電極パッド２３０Ａ）間のギャップは、“Ｗｇ”で表される。ギャップＷｇは、互いに隣接する電極パッド２３０Ａ間に設けられる間隙である。なお、“Ｐｐ”は、“Ｐｐ”＝“Ｗｐ”＋“Ｗｇ”の関係で表される。
【００５３】
さらに、同一グループに属する駆動側電極部２３０（電極パッド２３０Ａ）のうち、互いに隣接する駆動側電極部２３０（電極パッド２３０Ａ）間のギャップは、“Ｗｎｇ”で表される。なお、図４に示すように、駆動側電極部２３０が２つのグループに分類される場合には、“Ｗｎｇ”は、“Ｗｐ”＋２×“Ｗｇ”で表される。
【００５４】
第１に、ピッチＰｄｐは、Ｐｐの略ｎ倍（ｎは、グループ数）である。言い換えると、Ｐｐは、ピッチＰｄｐの略１／ｎである。なお、“略”とは、ピッチ“Ｐｄｐ”及び電極パッド１３０Ａの数によって定まるずれ幅を含むことを意味する。
【００５５】
第２に、幅Ｗｐ及びギャップＷｇは、Ｗｐ＞Ｗｇの関係（以下、条件Ａ）を満たすことが好ましい。また、幅Ｗｄｐ及びギャップＷｇは、Ｗｄｐ＞Ｗｇの関係（以下、条件Ｂ）を満たすことが好ましい。これによって、ディスプレイ部１００と駆動回路部２００との位置関係がずれたとしても、ディスプレイ側電極部１３０（電極パッド１３０Ａ）は、いずれかのグループに属する駆動側電極部２３０（電極パッド２３０Ａ）に必ず接続される。
【００５６】
第３に、幅Ｗｄｐ及びギャップＷｎｇは、Ｗｄｐ＜Ｗｎｇの関係（以下、条件Ｃ）を満たすことが好ましい。これによって、ディスプレイ側電極部１３０（電極パッド１３０Ａ）は、同一グループに属する駆動側電極部２３０（電極パッド２３０Ａ）のうち、互いに隣接する駆動側電極部２３０（電極パッド２３０Ａ）に接続されることがない。
【００５７】
なお、条件Ａ〜条件Ｃが満たされなくても、ディスプレイ側電極部１３０（電極パッド１３０Ａ）がいずれかのグループに属する駆動側電極部２３０（電極パッド２３０Ａ）に接続されることもあることに留意すべきである。
【００５８】
（１−４）ディスプレイ側電極部と駆動側電極部との接続態様の説明
駆動側電極部２３０と、ディスプレイ側電極部１３０との接続状態について説明する。図５（ａ）〜（ｃ）は、情報表示装置１のディスプレイ部１００と駆動回路部２００との接続態様を説明する模式図である。
【００５９】
駆動側電極部２３０とディスプレイ側電極部１３０との接続状態は、図５（ａ）〜（ｃ）に示すケースで説明することができる。情報表示装置１では、ディスプレイ側接続部１４０と駆動回路側接続部２８０とが磁気吸着力によって接触し、駆動側電極部２３０とディスプレイ側電極部１３０のうち何れか一方が他方に重ね合わされて互いに電気的に接続されているが、説明のため、両者の接続状態が分かるようにディスプレイ側接続部１４０と駆動回路側接続部２８０とを透視した状態で表している。すなわち、図５に示す状態は、紙面の垂直方向下側に駆動回路部２００の駆動側電極部２３０が配置されており、駆動回路部２００に対して紙面の垂直方向上側にディスプレイ部１００のディスプレイ側電極部１３０が重ね合わされた状態である。
【００６０】
なお、図５（ａ）〜（ｃ）では、説明のため、ディスプレイ側電極部１３０及びディスプレイ側電極部１３０に連結される配線１２０を電極１１，１２と表し、駆動側電極部２３０の電極パッド２３０Ａと配線２２０とをグループＡに属する電極Ａ１，Ａ２と表し、グループＢに属する電極Ｂ１，Ｂ２と表す。
【００６１】
図５（ａ）は、駆動側電極部２３０とディスプレイ側電極部１３０とが正常に接続された場合を示した図である。すなわち、この場合のずれｄ０は、０≦ｄ０＜Ｗｇであり、電極１１，２と電極Ａ１，Ｂ１とが合致している。図５（ｂ）は、図５に示すＤ方向に駆動側電極部２３０とディスプレイ側電極部１３０とが距離ｄ１（Ｗｇ≦ｄ１＜Ｗｐ）ずれた状態で接続されたケースを表す。この場合、電極１１は、電極Ａ１と電極Ｂ１に接続される。同様に、電極１２は、電極Ａ２と電極Ｂ２に接続される。図５（ｃ）は、図５に示すＤ方向に駆動側電極部２３０とディスプレイ側電極部１３０が距離ｄ２（Ｗｐ≦ｄ２＜（Ｐｐ＋Ｗｇ））ずれた状態で接続されたケースを表す。この場合、電極１１は、電極Ｂ１に接続される。同様に、電極１２は、電極Ｂ２に接続される。
【００６２】
駆動側電極部２３０は、上述の構成を備えるため、駆動回路部２００とディスプレイ部１００とを接続する際に、ディスプレイ側電極部１３０と駆動側電極部２３０とが厳密に重なって正常に接続されなくても、駆動側電極部２３０とディスプレイ側電極部１３０とが接続されて電気的に導通する。
【００６３】
（１−５）情報表示装置の制御方法
図６は、情報表示装置１のディスプレイ部１００に所定の情報を表示するときの制御方法を説明する図である。図６には、制御方法を説明するフローチャートの各ステップと、表示領域１１０に表示されている情報とが紐付けて表されている。
【００６４】
駆動回路部２００のコントローラ２４０は、以下の手順に基づいて、所定の情報を表示領域１１０に表示するようにドライバＩＣ２１０Ａ，２１０Ｂを制御する。
【００６５】
ステップＳ１において、コントローラ２４０は、何れかのグループを選択し、選択されたグループ以外のグループに属する複数の駆動側電極部２３０をハイインピーダンスに設定する。ステップＳ２において、コントローラ２４０は、選択されたグループの駆動側電極部２３０に情報を表示するための制御信号を出力する。
【００６６】
すなわち、実施形態の情報表示装置１では、コントローラ２４０は、グループＡを選択し、グループＢに属する複数の駆動側電極部２３０（この場合、第２駆動側電極部２３２）をハイインピーダンスに設定する。続いて、情報表示装置１は、選択されたグループの駆動側電極部２３０（この場合、第１駆動側電極部２３１）に情報を表示するための制御信号を出力する。なお、書き換え処理に先立ってリセット処理（消去処理）が行われる。
【００６７】
ディスプレイ側電極部１３０と駆動側電極部２３０との接続状態が、例えば、図５（ａ）または図５（ｂ）のケースであれば、ステップＳ２を終えたとき、表示領域１１０に新たな情報が表示される。
【００６８】
ステップＳ３において、コントローラ２４０は、ステップＳ１で選択されたグループ以外のグループから何れかのグループを選択し、選択されたグループ以外のグループに属する複数の駆動側電極部２３０をハイインピーダンスに設定する。ステップＳ４において、コントローラ２４０は、選択されたグループの駆動側電極部２３０に情報を表示するための制御信号を出力する。
【００６９】
すなわち、実施形態の情報表示装置１では、コントローラ２４０は、グループＢを選択し、グループＡに属する複数の駆動側電極部２３０（この場合、第１駆動側電極部２３１）をハイインピーダンスに設定する。続いて、情報表示装置１は、選択されたグループの駆動側電極部２３０（この場合、第２駆動側電極部２３２）に情報を表示するための制御信号を出力する。
【００７０】
ディスプレイ側電極部１３０と駆動側電極部２３０との接続状態が、例えば、図５（ｃ）のケースであれば、ステップＳ４を終えたとき、表示領域１１０に新たな情報が表示される。図５（ｂ）のケースでは、グループＡの駆動側電極部２３０とグループＢの駆動側電極部２３０の両方に接続されているため、ステップＳ４を終えると、ステップＳ３で選択されたグループの駆動側電極部２３０からの制御信号によって表示領域１１０に情報が再び表示される。
【００７１】
図６に示したフローチャートに従って、コントローラ２４０に制御されることにより、図５（ａ）〜図５（ｂ）のいずれの接続状態になっていても、ディスプレイ部１００には所定の情報が表示される。
【００７２】
（１−６）作用・効果
以上説明したように、情報表示装置１は、情報を表示するディスプレイ部１００と、ディスプレイ部１００を駆動する駆動回路部２００とが着脱可能に構成されており、ディスプレイ部１００は、表示領域１１０に配置された画素電極（表示用電極）に連結された複数のディスプレイ側電極部１３０を有し、駆動回路部２００は、ディスプレイ側電極部１３０の各々と電気的に接続される複数の駆動側電極部２３０と、表示領域１１０に情報を表示させる制御信号をディスプレイ側電極部１３０に出力するコントローラ２４０とを有する。駆動側電極部２３０は、ｎ個のグループに分類されるとともに、所定方向に沿って所定ピッチＰｄｐの略１／ｎのピッチＰｐで周期的に配置されている。一のグループに属する駆動側電極部２３０は、他のグループに属する駆動側電極部２３０と隣接するように周期的に配置されている。つまり、駆動側電極部２３０のピッチＰｐは、ディスプレイ側電極部のピッチよりも狭く、かつ、ディスプレイ側電極部１３０の１ピッチあたりに、駆動側電極部２３０が２個以上配置される。
【００７３】
コントローラ２４０は、ディスプレイ側電極部１３０と駆動側電極部２３０とが接続された状態で、異なるグループに属する駆動側電極部２３０に対して、異なるタイミングで制御信号を出力する。
【００７４】
このため、ディスプレイ側電極部１３０の位置と駆動側電極部２３０の位置とがずれても、ディスプレイ側電極部１３０が、ｎ個のグループのいずれかの駆動側電極部２３０に接続していれば、コントローラ２４０から各グループの駆動側電極部２３０に対して異なるタイミングで送られる制御信号に基づいて、表示領域１１０の情報を書き換えることができる。すなわち、情報表示装置１によれば、ディスプレイ部１００と駆動回路部２００とにおいて、接続不良や短絡などの接続不具合を回避して、ディスプレイ部１００に所定の情報を表示させることができる。更には、情報表示器１００と駆動回路部２００との接続時のアライメント（位置合わせ）が容易になる。
【００７５】
また、情報表示装置１では、ディスプレイ側接続基板１４１は、磁性体を含んで構成され、駆動回路側接続基板２８１は、磁石を含んで構成される。よって、ディスプレイ側接続基板と駆動回路側接続基板とを磁気吸着力によって接触又は離間させて、ディスプレイ側電極部１３０と駆動側電極部２３０との電気的な接続又は切離を容易にできる。更に、ディスプレイ側電極部１３０と駆動側電極部２３０との接触圧のばらつきを抑制して均一な接触圧で互いを電気的に接続することができる。
【００７６】
ここで、ディスプレイ部１００は、取り扱い易くするため、可撓性を有する部材によって構成される場合がある。可撓性を有するディスプレイ部１００は、たわみ易く、かつ、そのたわみが保持され易くなる。このような場合、ディスプレイ部１００に配置されるディスプレイ側電極部１３０と、駆動回路部２００に配置される駆動側電極部２３０とを電気的に接続する際に、ディスプレイ部１００のたわみによって、電極の位置がずれやすい。なお、従来技術では、このような場合、平面板上にディスプレイ部１００を配置することによって、ディスプレイ部１００のたわみを除いてから、電極同士の位置合わせを行っていた。
【００７７】
本実施形態に係る情報表示装置１によれば、ディスプレイ側電極部１３０の位置と駆動側電極部２３０の位置とがずれても、ディスプレイ側電極部１３０が、いずれかのグループに属する駆動側電極部２３０に接続していれば、表示領域１１０の情報を書き換えることができる。更には、ディスプレイ側接続基板１４１は、磁性体を含んで構成され、駆動回路側接続基板２８１は、磁石を含んで構成されるため、平面板などを準備することなく、ディスプレイ側電極部１３０の位置と駆動側電極部２３０の位置とを合わせて、電極同士を容易に接続できる。
【００７８】
また、情報表示装置１では、複数の駆動側電極部２３０の両端の幅Ｗ１が、複数のディスプレイ側電極部１３０の両端の幅Ｗ２よりも狭くなるように配置されていることが好ましい。言い換えると、ディスプレイ側電極部１３０を駆動側電極部２３０の両端よりも外側に余分に形成する（例えば、１ライン以上多く形成する）ことが好ましい。このような構成によって、利用者は、駆動回路側接続部２８０に設けられる複数の駆動側電極部２３０を、複数のディスプレイ側電極部１３０の両端の範囲内に取り付け易くなるとともに、駆動側電極部２３０とディスプレイ側電極部１３０とに位置ずれが起きたとしても、言い換えれば、精密なアライメントを取らなくても、ディスプレイ部１００の表示領域１１０内に所定の情報を確実に表示させることができる。
【００７９】
図１に示す実施形態では、第１グループに属する第１駆動側電極部２３１と、第２グループに属する第２駆動側電極部２３２とが基板面に交互に配置されている。また、各駆動側電極部２３０（第１駆動側電極部２３１及び第２駆動側電極部２３２）は、電極パッド２３０Ａの幅Ｗｐと、隣接する電極パッド２３０Ａ間のギャップＷｇは、Ｗｐ＞Ｗｇを満たす。図１に示す構成では、ディスプレイ側電極部１３０の間隔Ｐｄｐは、Ｐｄｐ＝２Ｐｐである。
【００８０】
例えば、Ａ４サイズ（２１０×２９７ｍｍ）の表示領域にＸＧＡモノクロ規格の解像度（１０２４×７６８＝７８６４３２ピクセル）で表示できるように構成し、Ａ４サイズの短辺部分に縦横ライン電極から引き出されたディスプレイ側電極部１３０を配置する場合、２１０ｍｍの範囲に、（１０２４＋７６８＝１７９２）本のディスプレイ側電極部１３０が配置される。従って、接続する箇所は、１０２４＋７６８＝１７９２箇所になり、配線２２０の間隔Ｐｐは、数百μｍ〜百数十μｍになる。
【００８１】
情報表示装置１では、駆動回路部２００側の駆動側電極部２３０を少なくとも２つのグループに分け、上記関係を満たすように構成することにより、例えば、駆動側電極部２３０とディスプレイ側電極部１３０との接続状態が図５（ａ）〜（ｃ）に示す何れかのケースになり、ディスプレイ側電極部１３０と駆動側電極部２３０とが厳密に重なって正常に接続されなくても、言い換えれば、精密なアライメントを取らなくても、駆動側電極部２３０とディスプレイ側電極部１３０とが接続されて電気的に導通し得る。すなわち、駆動側電極部２３０とディスプレイ側電極部１３０とが正常に接続しない場合が無くなる。従って、ディスプレイ部１００と駆動回路部２００とを表示の不具合がおこらないように確実に接続することができる。
【００８２】
実施形態では、図５に示したように、位置ずれがｄ０，ｄ１，ｄ２の範囲であれば、ディスプレイ部１００に正しく表示される。また、電極１１が電極Ａ２，Ｂ２に接触するような位置ずれが起きた場合には、電極１１から順に配列される電極のうち最後の電極Ｎに通電されないことになるが、表示領域１１０の全域に表示の不具合が発生することはない。
【００８３】
また、ディスプレイ側電極部１３０及び駆動側電極部２３０の材質としては、上述したように、酸化インジウム錫（ＩＴＯ）、酸化インジウム亜鉛（ＩＺＯ）等の導電性金属酸化物を用いてもよい。或いは、ディスプレイ側電極部１３０及び駆動側電極部２３０の材質としては、銅、アルミニウム、ニッケル、クロムなどの金属を用いてもよく、金、銀、白金、パラジウムなどの貴金属を用いてもよく、これらの合金を用いてもよい。
【００８４】
導電性材料から電極パットとしての導電膜を形成する方法としては、次の方法が挙げられる。例えば、上述した導電性材料を基板面にスパッタリング法、真空蒸着法、ＣＶＤ法、塗布法などにより薄膜状に形成することができる。また、金属材料については、金属箔（例えば、圧延銅箔）を形成し、基板面にラミネートする方法を用いてもよい。更に、導電性材料を含む導電剤を溶媒や合成樹脂バインダーに混合し、基板面に塗布する方法などを用いることができる。導電性材料は、パターン形成が可能であるため、成形性もよく、好適に使用できる。
【００８５】
導電膜を金属材料で形成する場合には、上述した形成方法のなかでも、金属材料を圧延した薄膜が好ましい。圧延した薄膜は、蒸着により形成された薄膜やスパッタリングにより形成された薄膜に比べて、曲げや擦過に対する強度を高めることができる。導電膜を配置する基板と、導電膜との密着性を高めるために、アンカー材を設けてもよい。
【００８６】
電極パッドとしての導電膜の厚さは、導電性が確保できればよく、一例として、０．０１μｍ〜１０μｍが好ましく、０．０５μｍ〜５μｍがより好ましい。
【００８７】
第１実施形態に示す情報表示装置１では、駆動側電極部２３０の電極パッド２３０Ａの幅Ｗｐと、隣接する電極パッド２３０Ａ間のギャップＷｇがＷｐ＞Ｗｇを満たし、ディスプレイ側電極部１３０のピッチ（間隔）ＰｄｐがＰｄｐ＝２Ｐｐを満たす構成と合わせて、コントローラ２４０は、図６に示したフローチャートに従う処理を実行する。
【００８８】
すなわち、コントローラ２４０は、選択したグループ以外のグループに属する駆動側電極部２３０をハイインピーダンスに設定し、選択されたグループの駆動側電極部２３０にのみ制御信号を出力する処理を、全グループに行うため、ディスプレイ側電極部１３０は、必ず何れかのグループに属する駆動側電極部２３０と接続されて制御信号を受け取ることができる。従って、一連の処理が終了したときには、図５（ａ）〜図５（ｂ）のいずれの接続状態になっていても、ショートなどの不良を引き起こすことなく、ディスプレイ部１００の表示領域１１０に新たな情報を必ず表示することができる。
【００８９】
（２）第２実施形態
次に、第２実施形態について説明する。ここでは、（２−１）駆動回路部の駆動側電極部、（２−２）情報表示装置の制御方法、（２−３）作用・効果について説明する。
【００９０】
（２−１）駆動回路部の駆動側電極部
図７は、駆動回路部４００の駆動回路側接続部４８０における駆動側電極部４３０（電極パッド４３０Ａ）およびディスプレイ側接続部１４０におけるディスプレイ側電極部を拡大した拡大図である。第２実施形態として示す情報表示装置２は、ディスプレイ部３００と、駆動回路部４００とを備える。
【００９１】
情報表示装置２のディスプレイ部３００及び駆動回路部４００には、第１実施形態のディスプレイ側電極部１３０及び駆動側電極部２３０に加えて、ディスプレイ側電極部１３０に接続された駆動側電極部２３０のグループを検出する検出部を有する。
【００９２】
情報表示装置２は、短絡されたショート配線３２１と、ショート配線３２１の端部に連結されたディスプレイ側電極部３３０とを有する。また、ディスプレイ側電極部３３０の各々と電気的に接続される複数の駆動側電極部４３０を備える。駆動側電極部４３０は、複数のグループに分けられている。複数の駆動側電極部４３０には、第１グループに属する第１駆動側電極部４３１と、第２グループに属する第２駆動側電極部４３２とが含まれる。第１駆動側電極部４３１と第２駆動側電極部４３２とは、配線４２１に連結されている。配線４２１は、グループを検出する検出回路２７０に接続されている。ディスプレイ側電極部３３０、ショート配線３２１、配線４２１、配線４２１に連結された第１駆動側電極部４３１、第２駆動側電極部４３２、及び検出回路２７０は、検出部を構成する。
【００９３】
検出回路２７０に接続されるディスプレイ側電極部３３０のピッチ（間隔）は、駆動側電極部２３０に接続されるディスプレイ側電極部１３０のピッチ（間隔）と同じＰｄｐである。また、駆動側電極部４３０（第１駆動側電極部４３１、第２駆動側電極部４３２）は、矩形状の電極パッド４３０Ａを有し、電極パッド４３０Ａの幅Ｗｐと、隣接する電極パッド４３０Ａ間のギャップＷｇと、配線４２０のピッチ（間隔）Ｐｐとの間には、Ｐｐ＝Ｗｐ＋ＷｇかつＷｐ＞Ｗｇの関係が成り立つ。駆動側電極部４３０が図７に示す構成となっている場合には、駆動側電極部４３０に対応するディスプレイ側電極部３３０の間隔Ｐｄｐは、Ｐｄｐ＝２Ｐｐ（但し、Ｐｐ＝Ｗｐ＋Ｗｇ）である。
【００９４】
図７では、説明のため、ディスプレイ側電極部３３０に連結されるショート配線３２１を配線Ｓと表し、グループＡに属する第１駆動側電極部４３１を電極ＤＡ１、ＤＡ２、グループＢに属する第２駆動側電極部４３２を電極ＤＢ１，ＤＢ２と表す。検出回路２７０は、配線Ｓによりショートしている電極を検出することにより、グループＡ，Ｂどちらの駆動側電極部２３０がディスプレイ側電極部１３０に接続されているかを検出する。
【００９５】
（２−２）情報表示装置の制御方法
図８は、本発明の第２実施形態に係る情報表示装置２を制御する情報表示装置の制御方法を説明するフローチャートである。図示しないコントローラ２４０は、検出部によって接続されていることが検出されたグループ以外のグループに属する複数の駆動側電極部をハイインピーダンスに設定し、検出されたグループの駆動側電極部に制御信号を出力する。
【００９６】
すなわち、ステップＳ１０において、コントローラ２４０は、検出部により、電極ＤＡ１，ＤＡ２に導通しているか検出する。導通している場合には、ステップＳ１１において、グループＢに属する複数の駆動側電極部２３０（この場合、第２駆動側電極部２３２）をハイインピーダンスに設定する。
【００９７】
続いて、ステップＳ１２において、コントローラ２４０は、グループＡの駆動側電極部２３０によって、表示領域１１０を書き換える。図８に示す処理では、コントローラ２４０は、第１駆動側電極部２３１に情報を表示するための制御信号を出力する。なお、書き換え処理に先立ってリセット処理（消去処理）が行われる。
【００９８】
一方、ステップＳ１０において、電極ＤＡ１，ＤＡ２に導通していないことが検出された場合には、ステップＳ１３において、さらに、電極ＤＢ１，ＤＢ２に導通しているか検出する。導通している場合には、ステップＳ１４において、グループＡに属する複数の駆動側電極部２３０（この場合、第１駆動側電極部２３１）をハイインピーダンスに設定する。
【００９９】
続いて、ステップＳ１５において、コントローラ２４０は、グループＢの駆動側電極部２３０によって、表示領域１１０を書き換える。
【０１００】
（２−３）作用・効果
以上説明したように、情報処理装置２は、検出部によって、ディスプレイ側電極部１３０がどのグループに属する駆動側電極部２３０（第１駆動側電極部２３１又は第２駆動側電極部２３２）に接続されているか検出することができるため、駆動回路部４００は、検出された一方の駆動側電極部２３０に対して制御信号を１回出力することで、表示領域１１０に表示される情報を確実に書き換えることができる。
【０１０１】
（３）第３実施形態
図９は、第３実施形態に係る情報表示装置３の構成を示す図である。図９に示すように、駆動回路部２００は、複数の駆動回路側接続部２８０ａ乃至２８０ｂを有している。また、図９に示すように、ディスプレイ部１００Ａでは、ディスプレイ側電極部１３０が、２つの端部（２辺）に、カラム電極部１３０ａとロウ電極部１３０ｂとを有する。
【０１０２】
本実施形態では、駆動回路側接続部２８０ａの駆動側電極部２３０ａが、カラム電極部１３０ａに接続され、駆動回路側接続部２８０ｂの駆動側電極部２３０ｂが、ロウ電極部１３０ｂに接続される。
【０１０３】
また、駆動回路側接続部２８０ａでは、駆動回路側接続部２８０ａの幅方向（図９に示すＷＸ方向）に沿って配置される複数の駆動側電極部２３０ａの両端の幅Ｗ１ａは、ディスプレイ部１００Ａの一方の端部に沿った方向（図９に示すＷＸ方向）に配置される複数のカラム電極部１３０ａの両端の幅Ｗ２ａよりも狭い。また、駆動回路側接続部２８０ｂにおいても、駆動回路側接続部２８０ｂの幅方向（図９に示すＷＹ方向）に沿って配置される複数の駆動側電極部２３０ｂの両端の幅Ｗ１ｂは、ディスプレイ部１００Ａの他方の端部に沿った方向（図９に示すＷＹ方向）配置される複数のロウ電極部１３０ｂの両端の幅Ｗ２ｂよりも狭い。
【０１０４】
なお、電極の幅Ｗ１ａは、表示領域１１０内の特定領域１１１に配置される画素電極に連結された複数のカラム電極部１３０ａの幅に対応し、電極の幅Ｗ１ｂは、特定領域１１１に配置される画素電極に連結された複数のロウ電極部１３０ｂの幅に対応する。
【０１０５】
このような情報表示装置３によれば、ディスプレイ部１００Ａの表示領域１１０内の特定領域１１１に限定して、所定の情報を表示させることができる。すなわち、特定領域１１１にのみに所定の情報を書き込むことができる。
【０１０６】
このような情報表示装置３は、例えば、ディスプレイ部１００Ａをチケットとして利用する際に有用である。具体的には、ディスプレイ部１００Ａの表示領域１１０にチケットとしての情報を表示させるとともに、駆動回路部２００から、例えば、「検印」などの所定の情報に対応する制御信号を、複数の駆動回路側接続部２８０ａ乃至２８０ｂを介して、ディスプレイ部１００Ａに出力する。情報表示装置３では、「検印」などの所定の情報を特定領域１１１のみに書き込むことができる。すなわち、予めチケット情報が表示された表示領域１１０の前記特定領域１１１を自由に選択して「検印」などの所定の情報を追記して表示できる。この自由に選択された特定領域１１１は、ディスプレイ部１００Ａから複数の駆動回路側接続部２８０ａ乃至２８０ｂを一旦取り外してしまうと、全く同じ特定領域を選択してディスプレイ部１００Ａに取り付けない限り、言い換えれば、厳密にアライメントを取った接続を行わない限り、追記表示された「検印」などの情報を完全に消去したり、元の痕跡を残さないで書き換えたりすることができないので、偽造や改竄などの不正を防止でき、セキュリティの面での利用も可能な情報表示装置を提供できる。
【０１０７】
このような情報表示装置では、着脱部を後述するクリップ方式に構成すると駆動回路部側とディスプレイ部１００Ａ側との着脱が簡単にできるので好ましい。
【０１０８】
（４）変形例
（４−１）変形例１
図１０は、変形例に係る情報表示装置３の駆動回路部６００において、駆動回路側接続部６８０が有する駆動側電極部６３０（電極パッド６３０Ａ）を拡大した拡大図である。変形例として示す情報表示装置３では、ディスプレイ側電極部５３０（電極パッド５３０Ａ）のピッチ（間隔）Ｐｄｐの１／ｎと、駆動側電極部６３０のピッチ（間隔）Ｐｐとが異なっている。すなわち、Ｐｄｐ／ｎ≠Ｐｐである。
【０１０９】
図１０では、駆動側電極部６３０は、矩形状の電極パッド６３０Ａを有し、電極パッド６３０Ａの幅Ｗｐと、隣接する電極パッド６３０Ａ間のギャップＷｇとは、Ｗｐ＞Ｗｇの関係が成り立つ。更に、図１０に示す構成では、ディスプレイ側電極部５３０のピッチ（間隔）Ｐｄｐは、Ｐｄｐ／ｎ＜Ｐｐ  （ｎ＝２）の関係にあるので、Ｐｄｐ＜２Ｐｐである。また、ディスプレイ側電極部５３０がピッチＰｄｐでｍ本配置された幅ＷＤｐ、同じグループに属する駆動側電極部６３０がｍ本ずつ配置されたとき、同じグループに属する駆動側電極部の最も離れた位置にある駆動側電極部間の距離ＷＤｒとするとき、ＷＤｐ−ＷＤｒ＜Ｐｐ＋ｗｇである。
【０１１０】
この場合、ディスプレイ側電極部５３０と駆動側電極部６３０との接続状態は、図５（ａ）〜（ｃ）の全てが繰り返し含まれるパターンになるため、ディスプレイ部１００に所定の情報を表示することができる。
【０１１１】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０１１２】
実施形態では、ディスプレイ側接続部１４０の端部１４５と、駆動回路側接続部２８０における載置部２８４の端部２８５とは、直線状に形成されていたが、図１１に示すように、ディスプレイ側接続部１４０の端部１４５ａと、載置部２８４の端部２８５ａとが、挿抜方向（図１１に示すＸ方向）に凹凸する形状に形成されていてもよい。図１１に示す山部と谷部とに直線部分を有するジグザグ形状や、山部と谷部とに直線部分を有さない鋭角的なジグザグ形状などが例示される。また、図１２に示すように、ディスプレイ側接続部１４０の端部１４５ｂと、載置部２８４の端部２８５ｂとが、曲線的な波型形状に形成されていてもよい。
【０１１３】
この場合、ディスプレイ側接続部１４０の端部１４５ａ乃至１４５ｂが、駆動回路側接続部２８０の載置部２８４の端部２８５ａ乃至２８５ｂに突き当てられることで、挿抜方向だけでなく、挿抜方向の直角方向（図１１乃至１２の例では、Ｙ方向）においても、ディスプレイ側電極部１３０の位置と、駆動側電極部２３０の位置とを容易に合わせることができる。図１１や図１２に示された構成においても、既に述べたようなディスプレイ側接続部１４０の両端をガイドする構造を載置部２８４に形成しておけば、挿抜方向だけでなく、挿抜方向の直角方向（図１１乃至１２の例では、Ｙ方向）においても、ディスプレイ側電極部１３０の位置と、駆動側電極部２３０の位置とをより容易に合わせることができる。
【０１１４】
実施形態では、ディスプレイ部１００（ディスプレイ部１００Ａ，３００，５００も同様）は、気体中粒子移動方式ディスプレイパネルであると説明した。しかし、ディスプレイ部１００は、例えば、電気泳動方式（液体中粒子移動方式）ディスプレイパネル、コレステリック液晶方式ディスプレイパネル、エレクトロクロミック方式ディスプレイパネルとすることができる。また、給電を断った状態で表示された情報を所定期間保持できる表示メモリー性、いわゆるバイステイブル性を有するＭＥＭＳ方式ディスプレイパネル、銀の電解による析出を用いる方式のディスプレイパネル、溶解反応を利用したディスプレイパネルとすることができる。ディスプレイ部１００は、これら表示メモリー性を有するものが好ましいが、表示メモリー性の無い、従来の液晶ディスプレイ（ＬＣＤ）にも適用できる。
【０１１５】
実施形態において、情報表示装置１には、ドライバＩＣ２１０Ａ，２１０Ｂが設けられていると説明した。しかし、ドライバＩＣは、必ずしも必要でない。コントローラ２４０がディスプレイ部１００の制御信号を、駆動側電極部２３０を介してディスプレイ側電極部１３０に直接出力する構成であってもよい。ドライバＩＣ２１０Ａ，２１０Ｂを使用すると、コントローラ２４０の負荷軽減、配線２２０の本数を減らすなどの利点がある。
【０１１６】
実施形態では、情報表示装置１は、記憶部２５０を備えると説明した。この他に、例えば、無線通信及び／又は有線通信を可能とする通信デバイスを備え、ディスプレイ部１００の表示領域１１０に表示する情報に関するデータを、ネットワークを介して取得することもできる。
【０１１７】
実施形態では、駆動側電極部２３０には、グループＡに属する第１駆動側電極部２３１（電極Ａ１，Ａ２）と、グループＢに属する第２駆動側電極部２３２（電極Ｂ１，Ｂ２）とが含まれると説明した。しかし、２つのグループに限定されない。３つであってもよい。
【０１１８】
また、実施形態では、駆動側電極部がピッチ（間隔）Ｐｐで配置されており、ディスプレイ側電極部がピッチ（間隔）Ｐｄｐで配置されており、Ｐｄｐ＝２Ｐｐである場合について説明した。しかし、ディスプレイ側電極部のピッチ（間隔）は、駆動側電極部の間隔の整数倍であればよく、２倍に限定されない。すなわち、例えば、Ｐｄｐ＝３Ｐｐ、Ｐｄｐ＝４Ｐｐという関係になるような配置になっていてもよい。
【０１１９】
また、上述した実施形態及び変形例は組み合わせることが可能である。このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【０１２０】
１〜３…情報表示装置、Ａ１，Ａ２…電極、Ｂ１，Ｂ２…電極、２…情報処理装置、１１，１２…電極、１００，１００Ａ，３００，５００…ディスプレイ部、１１０…表示領域、１１１…特定領域、１２０…配線、１３０…ディスプレイ側電極部、１３０Ａ…電極パッド、１３０ａ…カラム電極部、１３０ｂ…ロウ電極部、１４０…ディスプレイ側接続部、１４１…ディスプレイ側接続基板、１４５，１４５ａ，１４５ｂ…端部、２００…駆動回路部、２１０Ａ，２１０Ｂ…ＩＣドライバ、２２０…配線、２３０，２３０ａ，２３０ｂ…駆動側電極部、２３０Ａ…電極パッド、２３１…第１駆動側電極部、２３２…第２駆動側電極部、２４０…コントローラ、２５０…記憶部、２６０…電源回路、２７０…検出回路、２８０，２８０ａ，２８０ｂ…駆動回路側接続部、２８１…駆動回路側接続基板、２８４…載置部、２８５，２８５ａ，２８５ｂ…端部、３００…ディスプレイ部、３２１…ショート配線、３３０…ディスプレイ側電極部、４００…駆動回路部、４２０…配線、４２１…配線、４３０…駆動側電極部、４３０Ａ…電極パッド、４３１…第１駆動側電極部、４３２…第２駆動側電極部、４８０…駆動回路側接続部、５３０…ディスプレイ側電極部、５３０Ａ…電極パッド、６００…駆動回路部、６３０…駆動側電極部、６３０Ａ…電極パッド、６８０…駆動回路側接続部
【図１】
2013088646.tif 000003
【図２】
2013088646.tif 000004
【図３】
2013088646.tif 000005
【図４】
2013088646.tif 000006
【図５】
2013088646.tif 000007
【図６】
2013088646.tif 000008
【図７】
2013088646.tif 000009
【図８】
2013088646.tif 000010
【図９】
2013088646.tif 000011
【図１０】
2013088646.tif 000012
【図１１】
2013088646.tif 000013
【図１２】
2013088646.tif 000014